(57)【要約】  一連の光強度データにおける試料の収容領域に対応する範囲の特定を精度高く行うことが可能なデータ処理装置の提供。  第１の光源から検出領域に向けて出射された光に基づいて得られる第１の光強度分布データと第２の光源から前記検出領域に向けて出射された光に基づいて得られる第２の光強度分布データの各々について、検出対象が収容される収容領域に対応する解析対象範囲を特定するデータ判定部と、該データ判定部の動作モードを選択するモード選択部とを有し、前記モード選択部は、前記データ判定部が、前記第１の光強度分布データ及び前記第２の光強度分布データの各々から、前記解析対象範囲を特定する第１のモードと、前記データ判定部が、前記第１の光強度分布データの前記解析対象範囲に関する情報に基づき、前記第２の光強度分布データから前記解析対象範囲を特定する第２のモードの何れか一方を選択するデータ処理装置を提供する。
2014156379.tif 000002
【特許請求の範囲】
【請求項１】
第１の光源から検出領域に向けて出射された光に基づいて得られる第１の光強度分布データと第２の光源から前記検出領域に向けて出射された光に基づいて得られる第２の光強度分布データの各々について、検出対象が収容される収容領域に対応する解析対象範囲を特定するデータ判定部と、
該データ判定部の動作モードを選択するモード選択部と、を有し、
前記モード選択部は、前記データ判定部が、前記第１の光強度分布データ及び前記第２の光強度分布データの各々から、前記解析対象範囲を特定する第１のモードと、
前記データ判定部が、前記第１の光強度分布データの前記解析対象範囲に関する情報に基づき、前記第２の光強度分布データから前記解析対象範囲を特定する第２のモードの、何れか一方を選択する
データ処理装置。
【請求項２】
前記第１の光強度分布データ及び前記第２の光強度分布データは、前記収容領域との相対位置が変化する前記第１の光源及び第２の光源から出射された光によって得られる
請求項１に記載のデータ処理装置。
【請求項３】
前記解析対象範囲の特定に関する識別情報が入力される入力部を有し、該入力部に前記識別情報が入力された場合には、前記モード選択部は前記第２のモードを選択する
請求項１に記載のデータ処理装置。
【請求項４】
前記入力部は、ＲＦタグ又はバーコードの読み取り機である
請求項３に記載のデータ処理装置。
【請求項５】
前記モード選択部は、前記第１の光強度分布データ及び前記第２の光強度分布データから得られる各々の値が所定値を超えるか否かを判定し、前記各々の値の何れもが前記所定値を超えていると判定した場合、前記第１のモードを選択する
請求項１に記載のデータ処理装置。
【請求項６】
前記モード選択部は、前記第１の光強度分布データから得られる前記値が前記所定値を超え、前記第２の光強度分布データから得られる前記値が前記所定値を超えていないと判定した場合、前記第２のモードを選択する
請求項５に記載のデータ処理装置。
【請求項７】
前記所定値は、光強度に対する値である
請求項５に記載のデータ処理装置。
【請求項８】
前記所定値は、時間又は距離に対する値である
請求項５に記載のデータ処理装置。
【請求項９】
前記第１の光強度分布データ及び第２の光強度分布データは、前記検出対象が前記収容領域に収容されていない状態で取得されたデータである
請求項１に記載のデータ処理装置。
【請求項１０】
前記モード選択部は、前記第１の光強度分布データ及び前記第２の光強度分布データから得られる各々の値が所定値に満たないか否かを判定し、前記各々の値の何れもが前記所定値に満たないと判定した場合、前記第１のモードを選択する
請求項９に記載のデータ処理装置。
【請求項１１】
前記モード選択部は、前記第１の光強度分布データから得られる前記値が前記所定値に満たず、前記第２の光強度分布データから得られる前記値が前記所定値以上であると判定した場合、前記第２のモードを選択する
請求項１０に記載のデータ処理装置。
【請求項１２】
前記データ判定部は、前記第２のモードにおいて、前記第１の光強度分布データにおける前記解析対象範囲の位置に対する、前記第２の光強度分布データにおける前記解析対象範囲の位置に関する補正情報に基づき、前記第２の光強度分布データの前記解析対象範囲を特定する
請求項２に記載のデータ処理装置。
【請求項１３】
前記補正情報は、前記第１の光源及び前記第２の光源の間で予め定められた固定値である
請求項１２に記載のデータ処理装置。
【請求項１４】
前記固定値は、前記第１の光源と第２の光源の間の距離、及び前記相対位置が変化する速度に基づく
請求項１３に記載のデータ処理装置。
【請求項１５】
前記固定値は、前記第１の光源及び前記第２の光源の各々が所定の地点を通過する時刻の差に基づく
請求項１３に記載のデータ処理装置。
【請求項１６】
検出領域に向けて光を出射する第１の光源及び第２の光源と、
前記第１の光源から前記検出領域に向けて出射された光に基づいて得られる第１の光強度分布データと前記第２の光源から前記検出領域に向けて出射された光に基づいて得られる第２の光強度分布データの各々について、検出対象が収容される収容領域に対応する解析対象範囲を特定するデータ判定部と、
該データ判定部の動作モードを選択するモード選択部と、を有するデータ処理装置と、を備え、
該モード選択部は、前記データ判定部が、前記第１の光強度分布データ及び前記第２の光強度分布データの各々から、前記解析対象範囲を特定する第１のモードと、
前記データ判定部が、前記第１の光強度分布データの前記解析対象範囲に関する情報に基づき、前記第２の光強度分布データから前記解析対象範囲を特定する第２のモードの、何れか一方を選択する
光学検出システム。
【請求項１７】
前記第１の光源及び前記第２の光源は、一のユニットに備えられ、一体で移動可能に構成されている
請求項１６に記載の光学検出システム。
【請求項１８】
前記第１の光源及び前記第２の光源の各々は、複数のユニットに配設され、該ユニットは、互いに独立して移動可能に構成されている
請求項１６に記載の光学検出システム。
【請求項１９】
データ判定部が、第１の光源から検出領域に向けて出射された光に基づいて得られる第１の光強度分布データと第２の光源から前記検出領域に向けて出射された光に基づいて得られる第２の光強度分布データの各々について、検出対象が収容される収容領域に対応する解析対象範囲を特定することを含み、
モード選択部は、前記データ判定部が、前記第１の光強度分布データ及び第２の光強度分布データの各々から、前記解析対象範囲を特定する第１のモードと、
前記データ判定部が、前記第１の光強度分布データの前記解析対象範囲に関する情報に基づき、前記第２の光強度分布データから前記解析対象範囲を特定する第２のモードの、何れか一方を選択する
データ処理方法。
【請求項２０】
データ判定部が、第１の光源から検出領域に向けて出射された光に基づいて得られる第１の光強度分布データと第２の光源から前記検出領域に向けて出射された光に基づいて得られる第２の光強度分布データの各々について、検出対象が収容される収容領域に対応する解析対象範囲を特定する機能を含み、
モード選択部は、前記データ判定部が、前記第１の光強度分布データ及び第２の光強度分布データの各々から、前記解析対象範囲を特定する第１のモードと、
前記データ判定部が、前記第１の光強度分布データの前記解析対象範囲に関する情報に基づき、前記第２の光強度分布データから前記解析対象範囲を特定する第２のモードの、何れか一方を選択する機能を
コンピュータに実現させるためのデータ処理プログラム。
【発明の詳細な説明】
【技術分野】
【０００１】
本技術は、データ処理装置、光学検出システム、データ処理方法及びデータ処理プログラムに関する。より詳しくは、光強度分布データから検出対象が収容された収容領域に対応する解析対象範囲を特定する技術に関する。
【背景技術】
【０００２】
検出対象を光学的に検出する装置では、検出対象が収容された領域へ向けて光源から光が出射され、この領域を透過した光や検出対象からの発光を検出することによって、検出対象が検出される。また、上記の光学検出装置を用いて試料に含まれる複数の検出対象を一度に検出したい場合には、検出対象の各々の光学特性に合わせた、互いに波長の異なる光を複数用いることもある。【０００３】
一方、光学検出装置を使用する場合、検出対象を含む試料は光学検出に適した容器に収容されることが多い。例えば、ウェルと呼ばれる穴が複数形成されたマイクロプレートやマイクロチップなどが試料を収容する容器として従来より用いられてきた。マイクロプレートやマイクロチップのように、試料を収容するための領域が複数配設されている場合、検出対象を光学的に検出するためには、各々の領域に対して光源からの光を照射する必要がある。【０００４】
一度の操作によって複数の領域に光を照射するために、例えば、光源等の光学系を光学検出装置に複数設けてもよい。また、光源等の光学系と試料が収容されている領域の何れか一方が移動し、光学系に対する領域の相対的な位置が変化できるように光学検出装置が構成されていてもよい。光学系と領域との相対的な位置関係が変化することで、光源等が領域間を横断して、複数の領域へ順に光源からの光が照射可能となる。【０００５】
例えば、特許文献１には、「多数の生体試料が配列された試料チップに対して光を走査して蛍光物質が標識された生体試料を特定する生体試料光学的走査装置」が開示されている。当該生体試料光学的走査装置では、生体試料が配列された試料チップが回転テーブルにセットされることによって、直線移動しながら回転する試料チップに対して光を渦巻状に走査して、蛍光物質が付着された生体試料を検出可能とする。
【先行技術文献】
【特許文献】
【０００６】
【特許文献１】特開２００１−２２８０８８号公報
【発明の概要】
【発明が解決しようとする課題】
【０００７】
上記特許文献１に記載された装置によって、複数の領域へ順に光を照射し、複数の領域に収容された試料中の検出対象を連続的に検出することができる。一方、このような連続的な光の検出によって得られる一連の光強度データ等の測定データに対しては、検出対象に由来する部分とノイズ部分とを区別することが求められる。このため、一連の光強度データにおける試料が収容された領域に対応する、解析対象とする範囲を特定することも求められてきた。これは、解析対象とする範囲が特定されることによって、解析対象範囲外で検出された光を、データの解析において誤って検出対象由来のシグナルと判定することが防止されるためである。【０００８】
そこで、本技術は、一連の光強度データにおける試料の収容領域に対応する範囲の特定を、精度高く行うことが可能なデータ処理装置等を提供することを主な目的とする。
【課題を解決するための手段】
【０００９】
上記課題解決のため、本技術は、第１の光源から検出領域に向けて出射された光に基づいて得られる第１の光強度分布データと第２の光源から前記検出領域に向けて出射された光に基づいて得られる第２の光強度分布データの各々について、検出対象が収容される収容領域に対応する解析対象範囲を特定するデータ判定部と、該データ判定部の動作モードを選択するモード選択部と、を有し、前記モード選択部は、前記データ判定部が、前記第１の光強度分布データ及び前記第２の光強度分布データの各々から、前記解析対象範囲を特定する第１のモードと、前記データ判定部が、前記第１の光強度分布データの前記解析対象範囲に関する情報に基づき、前記第２の光強度分布データから前記解析対象範囲を特定する第２のモードの、何れか一方を選択するデータ処理装置を提供する。
前記第１の光強度分布データ及び前記第２の光強度分布データは、前記収容領域との相対位置が変化する前記第１の光源及び第２の光源から出射された光によって得られるものであってもよい。
前記データ処理装置は、前記解析対象範囲の特定に関する識別情報が入力される入力部を有し、該入力部に前記識別情報が入力された場合には、前記モード選択部は前記第２のモードを選択してもよい。
前記入力部は、ＲＦタグ又はバーコードの読み取り機とすることもできる。
前記モード選択部は、前記第１の光強度分布データ及び前記第２の光強度分布データから得られる各々の値が所定値を超えるか否かを判定し、前記各々の値の何れもが前記所定値を超えていると判定した場合、前記第１のモードを選択してもよい。
前記モード選択部は、前記第１の光強度分布データから得られる前記値が前記所定値を超え、前記第２の光強度分布データから得られる前記値が前記所定値を超えていないと判定した場合、前記第２のモードを選択してもよい。
前記所定値は、光強度に対する値や、時間又は距離に対する値とすることができる。
前記第１の光強度分布データ及び第２の光強度分布データは、前記検出対象が前記収容領域に収容されていない状態で取得されたデータであってもよい。
前記モード選択部は、前記第１の光強度分布データ及び前記第２の光強度分布データから得られる各々の値が所定値に満たないか否かを判定し、前記各々の値の何れもが前記所定値に満たないと判定した場合、前記第１のモードを選択してもよい。
前記モード選択部は、前記第１の光強度分布データから得られる前記値が前記所定値に満たず、前記第２の光強度分布データから得られる前記値が前記所定値以上であると判定した場合、前記第２のモードを選択してもよい。
前記データ判定部は、前記第２のモードにおいて、前記第１の光強度分布データにおける前記解析対象範囲の位置に対する、前記第２の光強度分布データにおける前記解析対象範囲の位置に関する補正情報に基づき、前記第２の光強度分布データの前記解析対象範囲を特定することもできる。
前記補正情報は、前記第１の光源及び前記第２の光源の間で予め定められた固定値であってもよく、前記固定値は、前記第１の光源と第２の光源の間の距離、及び前記相対位置が変化する速度に基づいていてもよく、前記固定値は、前記第１の光源及び前記第２の光源の各々が所定の地点を通過する時刻の差に基づいていてもよい。【００１０】
本技術は、また、検出領域に向けて光を出射する第１の光源及び第２の光源と、前記第１の光源から前記検出領域に向けて出射された光に基づいて得られる第１の光強度分布データと前記第２の光源から前記検出領域に向けて出射された光に基づいて得られる第２の光強度分布データの各々について、検出対象が収容される収容領域に対応する解析対象範囲を特定するデータ判定部と、該データ判定部の動作モードを選択するモード選択部と、を有するデータ処理装置と、を備え、該モード選択部は、前記データ判定部が、前記第１の光強度分布データ及び前記第２の光強度分布データの各々から、前記解析対象範囲を特定する第１のモードと、前記データ判定部が、前記第１の光強度分布データの前記解析対象範囲に関する情報に基づき、前記第２の光強度分布データから前記解析対象範囲を特定する第２のモードの、何れか一方を選択する光学検出システムを提供する。
前記第１の光源及び前記第２の光源は、一のユニットに備えられ、一体で移動可能に構成されていてもよい。
また、前記第１の光源及び前記第２の光源の各々は、複数のユニットに配設され、該ユニットは、互いに独立して移動可能に構成されていてもよい。【００１１】
本技術は、さらに、データ判定部が、第１の光源から検出領域に向けて出射された光に基づいて得られる第１の光強度分布データと第２の光源から前記検出領域に向けて出射された光に基づいて得られる第２の光強度分布データの各々について、検出対象が収容される収容領域に対応する解析対象範囲を特定することを含み、モード選択部は、前記データ判定部が、前記第１の光強度分布データ及び第２の光強度分布データの各々から、前記解析対象範囲を特定する第１のモードと、前記データ判定部が、前記第１の光強度分布データの前記解析対象範囲に関する情報に基づき、前記第２の光強度分布データから前記解析対象範囲を特定する第２のモードの、何れか一方を選択するデータ処理方法をも提供する。【００１２】
本技術は、また、データ判定部が、第１の光源から検出領域に向けて出射された光に基づいて得られる第１の光強度分布データと第２の光源から前記検出領域に向けて出射された光に基づいて得られる第２の光強度分布データの各々について、検出対象が収容される収容領域に対応する解析対象範囲を特定する機能を含み、モード選択部は、前記データ判定部が、前記第１の光強度分布データ及び第２の光強度分布データの各々から、前記解析対象範囲を特定する第１のモードと、前記データ判定部が、前記第１の光強度分布データの前記解析対象範囲に関する情報に基づき、前記第２の光強度分布データから前記解析対象範囲を特定する第２のモードの、何れか一方を選択する機能をコンピュータに実現させるためのデータ処理プログラムをも提供する。
【発明の効果】
【００１３】
本技術により、一連の光強度データにおける試料の収容領域に対応する範囲の特定を、精度高く行うことが可能なデータ処理装置等が提供される。
【図面の簡単な説明】
【００１４】
【図１】本技術の第１実施形態に係る光学検出システムのブロック図である。
【図２】Ａ及びＢは、光学検出システムにおける収容領域及び検出領域の一例を示す図である。
【図３】第１実施形態に係る光学検出システムにおける光源の構成例を示す模式図である。
【図４】Ａ〜Ｃは、第１実施形態に係る光学検出システムにおける光源の構成例を示す模式図である。
【図５】第１実施形態の変形実施形態の概要を示す図である。
【図６】本技術に係るデータ処理方法における光強度分布データの一例を示す図である。
【図７】本技術に係るデータ処理方法における動作モードの選択を説明するためのフローチャートである。
【図８】Ａ及びＢは、本技術に係るデータ処理方法における所定値α１と所定値α２を示す図である。
【図９】Ａ及びＢは、本技術に係るデータ処理方法における光強度分布データの一例を示す図である。
【図１０】本技術に係るデータ処理方法における第１のモードを説明するためのフローチャートである。
【図１１】Ａ及びＢは、第１のモードにおける解析対象範囲の特定を説明するための図である。
【図１２】本技術に係るデータ処理方法における第２のモードを説明するためのフローチャートである。
【図１３】第２のモードにおける解析対象範囲の特定を説明するための図である。
【図１４】本技術の第２実施形態に係る光学検出システムにおける光源の構成例を示す模式図である。
【図１５】第２実施形態に係る光学検出システムにおける補正情報を示す図である。
【発明を実施するための形態】
【００１５】
以下、本技術を実施するための好適な形態について説明する。なお、以下に説明する実施形態は、本技術の代表的な実施形態を示したものであり、これにより本技術の範囲が狭く解釈されることはない。
【００１６】
（１）本技術の第１実施形態に係る光学検出システム
本技術の第１実施形態に係る光学検出システムについて、図１〜図４を参照しながら説明する。図１は、本技術の第１実施形態に係る光学検出システムＡ１のブロック図である。光学検出システムＡ１は、検出対象を光学的に検出するためのシステムである。光学検出システムＡ１において、検出対象とは、後述する光源（第１の光源２１１と第２の光源２１２）から出射される光を照射することによって、光学的に検出することができるものであれば、何れであってもよい。検出対象としては、例えば、ＤＮＡ、ＲＮＡ等の核酸、ペプチドやタンパク質、細胞、生体関連微小粒子や工業用粒子等の微小粒子、などが挙げられる。また、核酸については、核酸増幅反応における増幅核酸鎖を検出対象とすることもできる。さらに、これらの検出対象に蛍光などの標識が付されている場合には、この標識を検出対象としてもよい。
【００１７】
光学検出システムＡ１は、後述する光源（第１の光源，第２の光源）から互いに波長の異なる光が各々出射されるため、検出対象が２種類以上含まれている試料に対して好適に用いられる。このような試料とは、例えば核酸増幅反応溶液であり、検出対象は増幅核酸鎖である。例えば、試料に含まれる一方の検出対象は、試料に含まれているか不明な核酸であり、もう一方の検出対象は、試料に含まれていることが予め確認されている核酸である。これらの核酸を鋳型とした増幅核酸鎖の各々に特異的に結合する蛍光標識プローブを用い、各増幅核酸鎖を光学検出システムＡ１を用いて検出する。予め試料に含まれていることが確認されている核酸の増幅を検出することによって、核酸増幅反応の成否を判定することができる。そして、核酸増幅反応が行われたことを確認した上で、試料に含まれているか不明な核酸について、有無を判定することができる。
【００１８】
（２）第１実施形態に係る光学検出システムの構成
図１に示すように、光学検出システムＡ１は、少なくとも、第１の光源２１１と第２の光源２１２と、データ判定部１１とモード選択部１２とを有するデータ処理装置１と、を備える。光学検出システムＡ１の各構成について、順に説明する。
【００１９】
なお、以下の光学検出システムＡ１の説明においては、光源は第１の光源２１１と第２の光源２１２の２つであるが、光学検出システムＡ１に３つ以上の光源が備えられていてもよい。
【００２０】
＜光源＞
第１の光源２１１及び第２の光源２１２は、光学検出システムＡ１において、検出対象を検出するための光（図１、矢印光Ｌ１１，矢印光Ｌ１２参照）を、検出対象が収容される収容領域を含む検出領域に向けて照射するための構成である。第１の光源２１１及び第２の光源２１２は、互いに異なる波長の光を出射可能な光源である。第１の光源２１１及び第２の光源２１２には、例えば、レーザ光源、ＬＥＤ光源、水銀ランプ、タングステンランプ等の公知の光源として用いられるものの中から適宜選択することができる。
【００２１】
第１実施形態に係る光学検出システムＡ１の説明において、収容領域とは、検出対象又は検出対象を含む試料が収容される空間である。この収容領域とは、例えば、マイクロチップに設けられたウェルやマイクロチューブの内空などである。一方、検出領域は、収容領域を含む領域であり、第１の光源２１１及び第２の光源２１２から出射された光Ｌ１１，Ｌ１２が照射される領域に相当する。また、検出領域は、後述する検出部３によって検出される光Ｌ２１，Ｌ２２の出射元となる領域全体に相当する。
【００２２】
収容領域及び検出領域について、図２に一例を示す。図２はマイクロチップＭの模式図である。図２Ａは、マイクロチップＭの上面図であり、図２Ｂは、図２Ａに示すＰ−Ｐ線の矢視断面図である。図２に示すように、検出対象をマイクロチップＭに収容した場合には、各ウェルが検出対象を収容する収容領域Ｗ１，Ｗ２，Ｗ３である。また、収容領域Ｗ１，Ｗ２，Ｗ３を含む領域が検出領域Ｄである。なお、光学検出システムＡ１においては、収容領域Ｗ１，Ｗ２，Ｗ３を含んで検出領域Ｄが設けられていれば、収容領域の数は特に限定されない。後述する光学検出システムＡ１を用いたデータ処理方法では、検出領域Ｄの面積は、収容領域Ｗ１，Ｗ２，Ｗ３の面積を合わせた面積より大きいことが好ましい。
【００２３】
図３は、光学検出システムＡ１における第１の光源２１１及び第２の光源２１２の構成例を示す模式図である。第１の光源２１１と第２の光源２１２は、一のユニット２１に備えられている。また、ユニット２１は、矢印Ｘ１で示す方向に移動可能に構成されている。
【００２４】
図３に示すように、ユニット２１が矢印Ｘ１で示す方向に移動すると、第１の光源２１１及び第２の光源２１２は、一体で移動する。この結果、第１の光源２１１及び第２の光源２１２と、検出領域Ｄとの相対位置が変化する。
【００２５】
光学検出システムＡ１においては、第１の光源２１１及び第２の光源２１２が一のユニット２１に備えられている。このため、第１の光源２１１及び第２の光源２１２は、検出領域Ｄとの相対位置を変化させながら検出領域Ｄに向かって光Ｌ１１，Ｌ１２を照射することで、光Ｌ１１，Ｌ１２を走査させ、複数の収容領域Ｗ１，Ｗ２，Ｗ３に対して連続的に光を照射することができる。
【００２６】
なお、例えば、ユニット２１の代わりにマイクロチップＭが矢印Ｘ２で示す方向に移動することで、第１の光源２１１及び第２の光源２１２と検出領域Ｄとの相対位置を変化させてもよい。
【００２７】
第１の光源２１１と第２の光源２１２の構成について、さらに図４に例を示す。図４Ａ〜図４Ｃに示す第１の光源２１１と第２の光源２１２では、何れも図３に示す光源（第１の光源２１１、第２の光源２１２）の構成と同様に、一のユニット２１に第１の光源２１１と第２の光源２１２が備えられている。
【００２８】
図４Ａでは、ユニット２１が上面視略円形に形成されたマイクロチップＭの中心を軸に回転することで、破線で囲まれた検出領域Ｄに対する第１の光源２１１及び第２の光源２１２の相対位置が変化する（矢印Ｘ１参照）。一方、図４Ｂでは、上面視略円形に形成されたマイクロチップＭが、マイクロチップＭの軸を中心に回転することにより、破線で囲まれた検出領域Ｄに対する第１の光源２１１及び第２の光源２１２の相対位置が変化する（矢印Ｘ２参照）。図４Ｃでは、ユニット２１が、ユニット２１の中心を軸に回転することによって、検出領域Ｄに対して第１の光源２１１及び第２の光源２１２の相対位置が変化する（矢印Ｘ３参照）。
【００２９】
また、上述した第１の光源２１１及び第２の光源２１２を備える光学検出システムＡ１においては、対物レンズ、ビームスプリッタ等の公知の光学検出装置に備えられている構成が含まれていてもよい。
【００３０】
＜検出部＞
検出部３は、第１の光源２１１と第２の光源２１２からの検出領域Ｄへの光の照射によって検出領域Ｄから出射される光（図１、矢印光Ｌ２１，２２）を検出するための構成である。検出部３は、検出領域Ｄから出射される光Ｌ２１，Ｌ２２を検出することが可能であれば、その構成は、特に限定されない。例えば、検出部３として、ＣＣＤやＣＭＯＳ素子等のエリア撮像素子、ＰＭＴ（光電子倍増管）、フォトダイオード等を用いることができる。検出部３については、一つの検出部３で光Ｌ２１と光Ｌ２２の両方を検出するように構成されていてもよく、複数の検出部３が、各々、光Ｌ２１と光Ｌ２２を検出するように構成されていてもよい。また、検出部３は、光学検出システムＡ１において、第１の光源２１１や第２の光源２１２と同様に、検出領域Ｄに対して相対位置が変化するように構成されていてもよい。
【００３１】
＜データ処理装置＞
データ処理装置１は、図１に示すように、データ判定部１１、モード選択部１２、入力部１３、ＣＰＵ１４、メモリ１５、ハードディスク１６などで構成されている。
【００３２】
（データ判定部）
データ判定部１１は、光強度分布データの検出対象が収容される収容領域に対応する解析対象範囲を特定する。光強度分布データは、上述した第１の光源２１１及び第２の光源２１２の各々から検出領域Ｄへ向けて出射された光に基づいて得られるデータである。光強度分布データと、光強度分布データにおける解析対象範囲の特定については、後述する。
【００３３】
（入力部）
入力部１３は、後述する解析対象範囲の特定に関する識別情報を読み取る。この識別情報が、例えばマイクロチップＭ上に付されたバーコードＢ（図２再度参照）やＲＦタグに記録されている場合には、入力部１２を、バーコードやＲＦタグの読み取り機とすることもできる。また、識別情報は、ユーザが直接入力部１３へ入力してもよく、入力部１３にはユーザが識別情報を入力できるようにキーボードなどが備えられていてもよい。
【００３４】
（ＣＰＵ）
ＣＰＵ１４は、データ処理装置１に設けられた各構成を統括的に制御するものであり、例えば、後述するモード選択部１２によるデータ判定部１１の動作モードの選択や、データ判定部１１による光強度分布データにおける解析対象範囲の特定を統括的に制御するプログラムを実行する。
【００３５】
（メモリ）
メモリ１５は、ＣＰＵ１４の作業領域として用いられ、検出部３で検出された光に基づく光強度分布データなどを一時的に記憶する。
【００３６】
（ハードディスク）
ハードディスク１６は、例えば、上述した検出部３において検出された光の測定データや検出された光に基づく光強度分布データ、後述する補正情報などが記憶される。
【００３７】
前述したデータ処理装置１の各機能については、これらの機能を実現するためのコンピュータプログラムを作成し、パーソナルコンピュータなどに実装することも可能である。このようなコンピュータプログラムは、例えば、磁気ディスク、光ディスク、光磁気ディスク、フラッシュメモリなどの記憶媒体に格納されていてもよく、またネットワークを介して配信することもできる。
【００３８】
図５に第１実施形態の変形実施形態に係る光学検出システムＡ１１の構成を示す。本技術に係る光学検出システムは、図１に示すように、データ処理装置１と検出器３とが直接接続されていてもよいが、図５に示すように、ネットワーク４を介して接続されてもよい。また、上述したハードディスク１６に記憶されている情報がサーバ５に保存されていてもよい。この場合、後述するデータ処理方法において、データ判定部１１やモード選択部１２は、サーバ５からネットワーク４を介して情報を取得する。
【００３９】
（３）本技術に係るデータ処理方法
本技術の第１実施形態に係る光学検出システムＡ１を用いて、データを処理する方法について説明する。先ず、本技術に係るデータ処理方法における光強度分布データについて、図６を参照しながら説明する。なお、以下のデータ処理方法の説明においては、便宜的に、図２に示すマイクロチップＭを用いた場合を例に説明する。
【００４０】
＜光強度分布データ＞
図６は、上述したハードディスク１６などに記憶されている光強度分布データの一例である。図６の上側は、第１の光源２１１から検出領域Ｄに向けて出射された光に基づいて得られる第１の光強度分布データを示し、図６の下側は、第２の光源２１２から検出領域Ｄに向けて出射された光に基づいて得られる第２の光強度分布データを示す。
【００４１】
本技術に係るデータ処理方法において、光強度分布データとは、上述した第１の光源２１１及び第２の光源２１２から出射された光の走査に伴って、検出部３に検出された光の一連の強度データ（光強度データ）である。また、光強度分布データとは、検出領域Ｄにおける光強度の分布を示すデータである。
【００４２】
図６では、縦軸に検出された光の強度をプロットし、横軸に検出された時間をプロットしている。光強度の分布については、図６に示すように検出時間に対してプロットしてもよく、ユニット２１又はマイクロチップＭが移動した距離に対してプロットしてもよく、検出領域Ｄの一の端からもう一の端までの長さに対してプロットしてもよい。
【００４３】
図６に示す第１の光強度分布データと第２の光強度分布データでは、横軸である時間の全体は、検出領域Ｄに対応する。また、各々の光強度分布データには、検出対象が収容されている収容領域Ｗ１，Ｗ２，Ｗ３から出射した光に対応する部分が含まれている。即ち、第１の光強度分布データには、収容領域Ｗ１に対応する解析対象範囲Ｒ１１、収容領域Ｗ２に対応する解析対象範囲Ｒ１２及び収容領域Ｗ３に対応する解析対象範囲Ｒ１３が含まれている。第２の光強度分布データについても同様に、収容領域Ｗ１に対応する解析対象範囲Ｒ２１、収容領域Ｗ２に対応する解析対象範囲Ｒ２２及び収容領域Ｗ３に対応する解析対象範囲Ｒ２３が含まれている。
【００４４】
この解析対象範囲Ｒ１１，Ｒ１２，Ｒ１３，Ｒ２１，Ｒ２２，Ｒ２３とは、検出対象に由来する光強度データが含まれ得る範囲に相当する。即ち、解析対象範囲Ｒ１１，Ｒ１２，Ｒ１３，Ｒ２１，Ｒ２２，Ｒ２３とは、光強度分布データの中で、検出対象の検出や検出対象の定量などのための解析対象となる部分である。
【００４５】
上述した第１の光強度分布データと第２の光強度分布データは、検出対象が収容領域Ｗ１，Ｗ２，Ｗ３に収容されていない状態で取得されたものであってもよい。この場合、例えば、第１の光源２１１と第２の光源２１２の各々から出射される光Ｌ１１，Ｌ１２が検出領域Ｄを通過した後の、出射時の光Ｌ１１，Ｌ１２の強度に対する減弱の程度を、光強度として用いることができる。即ち、光Ｌ１１，Ｌ１２の吸光度に基づく光強度データを、第１の光強度分布データと第２の光強度分布データとすることができる。
【００４６】
上記の光強度分布データには、検出対象に由来する光が含まれていないため、収容領域Ｗ１，Ｗ２，Ｗ３の間で光強度等がより均一となる。このため、後述するデータ処理方法において、光強度分布データに含まれる複数の収容領域Ｗ１，Ｗ２，Ｗ３に対応する解析対象範囲Ｒ１１，Ｒ１２，Ｒ１３，Ｒ２１，Ｒ２２，Ｒ２３の特定を、同じ条件で行うことが容易となる。従って、検出対象が収容領域Ｗ１，Ｗ２，Ｗ３に収容されていない状態で取得された光強度分布データは、本技術に係るデータ処理方法による解析対象範囲Ｒ１１，Ｒ１２，Ｒ１３，Ｒ２１，Ｒ２２，Ｒ２３の特定に好適に用いられる。また、この場合、第１の光強度分布データと第２の光強度分布データの解析対象範囲Ｒ１１，Ｒ１２，Ｒ１３，Ｒ２１，Ｒ２２，Ｒ２３に関する情報を、検出対象の収容後に得られる光強度分布データにおける収容領域に対応する解析対象範囲Ｒ１１，Ｒ１２，Ｒ１３，Ｒ２１，Ｒ２２，Ｒ２３の特定に用いることができる。なお、検出対象が収容領域Ｗ１，Ｗ２，Ｗ３に収容されている場合には、光Ｌ１１，Ｌ１２は、検出対象に対する励起光であってもよく、検出対象の吸収波長に相当する波長の光であってもよく、特に限定されない。
【００４７】
＜データ処理方法＞
次に、フローチャート（図７、図１０、図１２）を参照しながら本技術に係るデータ処理方法について説明する。本技術に係るデータ処理方法は、モード選択部１２が、データ判定部１１の動作モードについて、後述する第１のモードと第２のモードの何れか一方を選択する工程を含む。また、本技術に係るデータ処理方法は、データ判定部１１が、選択された動作モードに応じて、光強度分布データにおいて解析対象範囲Ｒ１１，Ｒ１２，Ｒ１３，Ｒ２１，Ｒ２２，Ｒ２３を特定する工程を含む。
【００４８】
（動作モードの選択）
図７に示すフローチャートは、モード選択部１２による動作モードの選択における各工程を示す。上述した光検出システムＡ１に入力部１３が備えられている場合には、モード選択部１２は、工程Ｓ０において、識別情報の入力の有無を確認してもよい。入力部１３へ解析対象範囲の特定に関する識別情報が入力された場合には、モード選択部１２は、第２モードを選択する（工程Ｓ１−５）。一方、識別情報が入力されなかった場合には、モード選択部１２は、工程Ｓ１−１を行う。
【００４９】
工程Ｓ１−１において、モード選択部１２は、第１の光強度分布データ及び第２の光強度分布データから得られる各々の値が所定値を超えるか否か判定する。光強度分布データから得られる値とは、例えば、検出光の強度や検出時間などである。また、所定値とは、予め設定されている値である。この所定値は、例えば光強度に対する値とすることができる。また、所定値は、時間又は距離に対する値とすることができる。
【００５０】
図８に、本技術に係るデータ処理方法における所定値の例を示す。例えば、所定値α１は、検出された光の強度（光強度）に対する所定値である。また、所定値α２は、所定値α１を超えた光強度が連続して検出された時間（時間ｔ１から時間ｔ２）に対する所定値である。本工程Ｓ１−１においては、所定値として、所定値α１など、一つの所定値を用いてもよい。また、所定値α１及び所定値α２のように複数の所定値を組み合わせて用いてもよい。
【００５１】
図８Ａは、光強度分布データから得られる値が、所定値α１及び所定値α２を超えた例を示す。この場合、モード選択部１２は、光強度分布データから得られる値が、所定値を超えたと判定する。一方、図８Ｂは、光強度分布データから得られる値が、所定値α１及び所定値α２を超えなかった例を示す。この場合、モード選択部１２は、光強度分布データから得られる値が、所定値を超えなかったと判定する。
【００５２】
モード選択部１２は、工程Ｓ１−２において、工程Ｓ１−１の判定結果に基づき、第１の光強度分布データと第２の光強度分布データの各々から得られる値の何れもが所定値を超える場合には（Ｙｅｓ）、第１のモードを選択する（工程Ｓ１−３）。第１のモードについては後述する。
【００５３】
工程Ｓ１−４で、モード選択部１２は、工程Ｓ１−１の判定結果に基づき、第１の光強度分布データから得られる値が所定値を超え、第２の光強度分布データから得られる値が所定値を超えていない場合には（Ｙｅｓ）、第２のモードを選択する（工程Ｓ１−５）。この第１の光強度分布データとは、光学検出システムＡ１に設けられた２つの光源の何れから出射された光によって得られたデータであればよく、特に限定されない。従って、モード選択部１２は、何れか一方の光強度分布データから得られる値が所定値を超えた場合には、第２のモードを選択する。
【００５４】
第１の光強度分布データから得られる値についても第２の光強度分布データから得られる値についても、共に所定値を超えなかった場合、モード選択部１２は、動作モードを選択することなく、モードの選択を終了する。これは、エラー終了を意味する。なお、上述したモード選択部１２の動作モードの選択機能は、データ判定部１１が備えていてもよい。
【００５５】
第１の光強度分布データと第２の光強度分布データは、光Ｌ１１，Ｌ１２の波長や、検出対象が収容領域Ｗ１，Ｗ２，Ｗ３に収容されているか否かなどによって、解析対象領域Ｒ１１，Ｒ１２，Ｒ１３，Ｒ２１，Ｒ２２，Ｒ２３が、光強度分布データのその他の領域に対して、図８に示すように、光強度が高い場合と、図９に示すように低い場合とがある。
【００５６】
図９は、光Ｌ１１，Ｌ１２の吸光度に基づいて得られた第１の光強度分布データ（図９Ａ）と第２の光強度分布データ（図９Ｂ）の一例である。図９に示すように、解析対象範囲Ｒ１１，Ｒ１２，Ｒ１３，Ｒ２１，Ｒ２２，Ｒ２３は、データの他の領域に対して光強度が低い。このような第１の光強度分布データと第２の光強度分布データに対して、モード選択部１２が光強度に対する所定値α１を用いる場合には、第１の光強度分布データ及び第２の光強度分布データから得られる各々の値が所定値α１に満たないか否かを判定する。所定値α１については、上述した通りである。モード選択部１２は、この値の何れもが所定値α１に満たないと判定した場合、第１のモードを選択する。また、モード選択部１２は、第１の光強度分布データから得られる値が所定値α１に満たず、第２の光強度分布データから得られる値が所定値α１以上であると判定した場合、第２のモードを選択する。
【００５７】
光学検出システムＡ１に光源が３つ以上設けられている場合には、一つ以上の光強度分布データから得られる値が所定値を超え、かつ一つ以上の光強度分布データから得られる値が所定値を超えないときには、モード選択部１２は、第２のモードを選択する。
【００５８】
（解析対象範囲の特定）
上述したモード選択部１２によって選択された動作モード（第１のモード又は第２のモード）に応じて、データ判定部１１は光強度分布データの検出対象が収容される収容領域Ｗ１，Ｗ２，Ｗ３に対応する解析対象範囲Ｒ１１，Ｒ１２，Ｒ１３，Ｒ２１，Ｒ２２，Ｒ２３を特定する。
【００５９】
［第１のモード］
図１０に示すフローチャートは、本技術に係るデータ処理方法における第１のモードの各工程を示す。第１のモードにおいてデータ判定部１１は、第１の光強度分布データから解析対象範囲Ｒ１１，Ｒ１２，Ｒ１３を特定する（工程Ｓ２−１）。さらに、データ判定部１１は、第２の光強度分布データから、解析対象範囲Ｒ２１，Ｒ２２，Ｒ２３を特定する（工程Ｓ−２）。即ち、第１のモードでは、データ判定部１１は、第１の光強度分布データの解析対象範囲Ｒ１１，Ｒ１２，Ｒ１３に関する情報を用いることなく、第２の光強度分布データに対して解析対象範囲Ｒ２１，Ｒ２２，Ｒ２３を特定する。
【００６０】
解析対象範囲の特定のために、データ判定部１１は、上述した所定値α１，α２を用いることもできる。また、所定値α１，α２は、モード選択部１２によるモードの選択（図７参照）で用いた値と同じでもよい。さらに、所定値α１，α２以外に、例えば、光強度分布データを図６に示すようにプロットして、その波形から、解析対象範囲を特定してもよい。
【００６１】
図１１Ａは、工程Ｓ２−１の一例を示す。また、図１１Ｂは、工程Ｓ２−２の一例を示す。データ判定部１１は、所定値α１に基づき、第１光強度分布データの所定値α１を超える範囲（時間ｔ１〜時間ｔ２、時間ｔ５〜時間ｔ６、時間ｔ９〜時間ｔ１０）を解析対象範囲Ｒ１１，Ｒ１２，Ｒ１３として特定する（図１１Ａ）。第２強度分布データに対しても同様に、データ判定部１１は、所定値α１に基づき、所定値α１を超える範囲（時間ｔ３〜時間ｔ４、時間ｔ７〜時間ｔ８、時間ｔ１１〜時間ｔ１２）を解析対象範囲Ｒ２１，Ｒ２２，Ｒ２３とする（図１１Ｂ）。なお、図９に示すように、解析対象範囲Ｒ１１，Ｒ１２，Ｒ１３，Ｒ２１，Ｒ２２，Ｒ２３とされる領域が、光強度分布データにおける他の領域に対して光強度が低い場合には、所定値α１に満たない範囲を解析対象範囲とすることができる。
【００６２】
光強度に対する所定値α１については、第１の光強度分布データに対する所定値α１と、第２の光強度分布データに対する所定値α１は、第１の光源２１１の特性と第２の光源２１２の特性の差異などを考慮して、各々、異なる値を用いる方が好ましい。なお、所定値α１について、同じ値を、第１の光強度分布データと第２の光強度分布データの両方に用いることもできる。一方、時間又は距離に対する所定値α２については、所定値α２が収容領域Ｗ１，Ｗ２，Ｗ３の大きさなどに対応する値であるため、第１の光強度分布データに対する所定値α２と、第２の光強度分布データに対する所定値α２は、同じ値を用いることが好ましい。なお、第１の光強度分布データと第２の光強度分布データの各々に対して、所定値α２として異なる値を用いてもよい。
【００６３】
図１１に示すように、解析対象範囲Ｒ１１，Ｒ１２，Ｒ１３，Ｒ２１，Ｒ２２，Ｒ２３の特定のための所定値α１は、一つであってもよい。また、データ判定部１１は、モード選択部１２と同様に、解析対象範囲Ｒ１１，Ｒ１２，Ｒ１３，Ｒ２１，Ｒ２２，Ｒ２３を特定するため、複数の所定値α１，α２を用いてもよい（図８Ｂ参照）。
【００６４】
［第２のモード］
図１２に示すフローチャートは、本技術に係るデータ処理方法における第２のモードの各工程を示す。データ判定部１１は、第２のモードにおいても、第１のモードの工程Ｓ２−１と同様に、第１の光強度分布データから、解析対象範囲Ｒ１１，Ｒ１２，Ｒ１３を特定する（工程Ｓ３−１）。
【００６５】
一方、第２の光強度分布データにおける解析対象範囲Ｒ２１，Ｒ２２，Ｒ２３の特定については、第１のモードと異なり、データ判定部１１は、第１の光強度分布データの解析対象範囲に基づき、第２の光強度分布データについて解析対象範囲Ｒ２１，Ｒ２２，Ｒ２３を特定する（工程Ｓ３−２）。また、データ判定部１１は、第２のモードにおいて、第１の光強度分布データにおける解析対象範囲Ｒ１１，Ｒ１２，Ｒ１３の位置に対する、第２の光強度分布データにおける解析対象範囲Ｒ２１，Ｒ２２，Ｒ２３の位置に関する補正情報に基づき、第２の光強度分布データの解析対象範囲Ｒ２１，Ｒ２２，Ｒ２３を特定することもできる。
【００６６】
上記の補正情報とは、第１の光源２１１と第２の光源２１２の間で予め定められた固定値が好ましい。補正情報として、予め定められた固定値を用いることによって、データ判定部１１による解析対象範囲の特定を、補正情報が変動値である場合に比べ、より早く行うことができる。固定値は、例えば、第１の光源２１１と第２の光源２１２の間の距離、及び前述の相対位置が変化する速度などである。また、ユニット２１とマイクロチップＭの何れか一方の回転運動によって光源（第１の光源２１１、第２の光源２１２）と検出領域Ｄとの相対位置が変化する場合は、上記の距離と速度について、回転運動するものの角速度と半径から求めることもできる（図４参照）。
【００６７】
本技術に係るデータ処理方法において、補正情報として、第１の光源２１１と第２の光源２１２の間の距離、及び相対位置が変化する時間を用いた場合について図１３を参照しながら説明する。
【００６８】
図１３に示すユニット２１には、第１光源２１１と第２光源２１２とが設けられ、これらの間の距離ｄは固定値である。矢印Ｘ１で示す方向へユニット２１は移動し、第１光源２１１と第２光源２１２から出射された各々の光が順に収容領域Ｗ１，Ｗ２，Ｗ３へ照射される（図１３において収容領域Ｗ１，Ｗ２，Ｗ３は不図示）。このため、収容領域Ｗ１に対応する第１の光強度分布データにおける解析対象範囲Ｒ１１の開始位置と、同じく収容領域Ｗ１に対応する第２の光強度分布データにおける解析対象範囲Ｒ２１の開始位置との間には、時間差（△ｔ）が生じる。
【００６９】
時間差（△ｔ）は、光源間の距離ｄとユニット２１の移動する速度から算出可能な値である。従って、第１の光源２１１と第２の光源２１２の間の距離及び検出領域に対する相対位置が変化する速度に基づく固定値を、第２光強度分布データにおける解析対象範囲Ｒ２１，Ｒ２２，Ｒ２３の特定のために用いる補正情報とすることができる。
選択する。
【００７０】
なお、光学検出システムＡ１に光源が３つ以上設けられ、複数の光強度分布データから得られる値が所定値を超える場合には、所定値を超えたと判定された値を得た元の複数の光強度分布データの中から、基準とする光強度分布データを選定することが好ましい。基準の選定については、例えば、光強度や時間などに対する所定値を複数用いて、最も多くの所定値を超えたと判定された光強度分布データを基準としてもよい。また、この基準の選定機能をデータ判定部１１が備えていてもよい。さらに、上記の光源の構成の場合には、第２のモードが選択された場合であっても、データ判定部１１は、所定値を超えると判定された複数の光強度分布データの各々については、後述する前述したを用いることなく、解析対象範囲を特定してもよい。
【００７１】
［第２のモード−識別情報が入力された場合］
上述したように、入力部１３へ解析対象範囲の特定に関する識別情報が入力された場合にも、モード選択部１２は第２のモードを選択し、データ判定部１１は図１２に示す各工程によって解析対象範囲を特定する。
【００７２】
解析対象範囲の特定に関する識別情報には、例えば、第１の光源２１１についての情報が含まれていてもよい。この第１の光源２１１についての情報に従い、データ判定部１１は、例えば、何れの波長の光を出射する光源を第１の光源２１１とするか、決定する。
【００７３】
また、上記の識別情報には、例えば、前述した所定値や補正情報が含まれていてもよい。データ判定部１１は、例えば、工程Ｓ３−１において、識別情報によって決定された光源（第１の光源２１１）から出射された光によって得られる光強度分布データ（第１の光強度分布データ）に対して、識別情報に記録されている所定値に基づいて解析対象範囲を特定することができる。さらにデータ判定部１１は、工程Ｓ３−２において、工程Ｓ３−１によって得られた解析対象範囲に関する情報と識別情報に記録されている補正情報に基づいて、他の光源（第２の光源）から出射された光によって得られる光強度分布データ（第２の光強度分布）について解析対象範囲を特定することができる。
【００７４】
本技術に係るデータ処理方法では、第１の光源２１１と第２の光源２１２の各々から出射された光によって得られる第１の光強度分布データと第２の光強度分布データの各々について、検出対象が収容された領域に対応する解析対象範囲を特定する。また、解析対象範囲の特定について、モード選択部１２が、以下の２つのモードの何れか一方を選択する。
【００７５】
第１のモードでは、データ判定部１１が、第１の光強度分布データと第２の光強度分布データについて、所定値に基づいて解析対象範囲Ｒ１１，Ｒ１２，Ｒ１３，Ｒ２１，Ｒ２２，Ｒ２３を特定する。これに対して、第２のモードでは、第１の光強度分布データの解析対象範囲Ｒ１１，Ｒ１２，Ｒ１３に関する情報に基づき、第２の光強度分布データに対して解析対象範囲Ｒ２１，Ｒ２２，Ｒ２３を特定する。
【００７６】
検出対象の光学的検出に用いる第１の光源２１１や第２の光源２１２などの種類によっては、例えばマイクロチップＭなどの収容領域Ｗ１，Ｗ２，Ｗ３を構成する材料の光学特性が異なる場合がある。また、マイクロチップＭなどにおけるウェル等の成形の誤差や、温度・湿度等の光学検出システムＡ１による検出対象の検出時の条件、使用に伴う光軸のずれなどによって、上述した補正情報に基づいて精度高く解析対象範囲を特定することが困難な場合がある。このような場合、複数の光源からの光の照射によって得られる光強度分布データの各々について、独立して、解析対象範囲Ｒ１１，１２，１３，２１，２２，２３を特定することが好ましい。従って、上記の第１のモードが好適である。
【００７７】
一方、解析対象範囲Ｒ２１，Ｒ２２，Ｒ２３の特定に十分な光強度を得ることができない光源が、光学検出システムＡ１に設けられてる場合には、この光源から出射された光によって得られる光強度分布に対して、上記の第２のモードが好適である。
【００７８】
このように、光強度分布データについて解析対象範囲を特定する場合には、光源などの条件によって、最適な動作モードが異なる場合がある。本技術に係るデータ処理方法では、モード選択部１２によって最適な動作モードを選択することができる。このため、光強度分布データにおける解析対象範囲Ｒ１１，Ｒ１２，Ｒ１３，Ｒ２１，Ｒ２２，Ｒ２３の特定を、より精度高く行うことができる。
【００７９】
また、第１のモードしか選択できないと、第２の光強度分布データから得られる値が所定値を超えなかった場合、第２の光強度分布データについて、解析対象範囲Ｒ２１，Ｒ２２，Ｒ２３を特定できなくなる。本技術に係るデータ処理方法では、モード選択部１２が第１のモードを選択しなかった場合でも、第２のモードを選択することにより、データ判定部１１は光強度分布データから解析対象範囲Ｒ２１，Ｒ２２，Ｒ２３を特定することができる。
【００８０】
（４）本技術の第２実施形態に係る光学検出システム
図１４は、本技術の第２実施形態に係る光学検出システムＡ２における第１の光源２１１と第２の光源２１２の模式図である。光学検出システムＡ２において、ユニット２１ａ，２１ｂ以外の構成は、第１実施形態と同一である。第１実施形態と同一の構成については、同一の符号を付し、重複する部分の説明は省略する。
【００８１】
図１４に示すように、第１の光源２１１と第２の光源２１２は、各々、ユニット２１ａとユニット２１ｂに設けられている。本技術に係る光学検出システムＡ２において、第１の光源２１１と第２光源の２１２は、複数のユニット２１ａ，２１ｂに配設されていてもよい。また、これらのユニット２１ａ，２１ｂは互いに独立に移動することができるため、第１の光源２１１と第２の光源２１２とは、互いに独立して検出領域Ｄとの相対位置が変化する（図１４、矢印Ｘ１、Ｘ２参照。図１４において検出領域Ｄは不図示）。
【００８２】
上記のユニット２１ａ，２１ｂが採用された光学検出システムＡ２において、データ判定部１１が、第２のモードで用いる補正情報の一例について図１５を参照しながら説明する。図１５に示すように、ユニット２１ａ，２１ｂは、矢印Ｘで示す方向に移動している。補正情報は、例えば、第１の光源２１１と第２の光源２１２の各々が所定の地点（基準地点）を通過する時刻の差に基づく固定値とすることができる。これは、光強度分布データにおける同じ収容領域Ｗ１に相当する解析対象範囲Ｒ１１，Ｒ２１の開始位置の差は、第１の光源２１１が基準地点を通過する時刻ｔ１と、第２の光源２１２が基準点を通過する時刻ｔ２との差に基づくためである。
【００８３】
この他、光学検出システムＡ２では、複数のユニット２１ａ，２１ｂの移動の開始位置の差に基づく補正情報を、データ判定部１１が用いてもよい。また、光学検出システムＡ２にユニット２１ａ，２１ｂに対する位置センサを設け、位置センサから得られる位置情報に基づく補正情報をデータ判定部１１が用いてもよい。
【００８４】
さらに、光学検出システムＡ２においては、第１の光源２１１と第２の光源２１２は、各々からの出射光（光Ｌ１１，光Ｌ１２）に基づく検出領域Ｄからの反射光が、検出部３に入光しないように構成されていることが好ましい。反射光の入光を防ぐためには、例えば、第１の光源２１１と第２の光源２１２の発光のタイミングをずらすなどして、同時に２つの光源から検出領域Ｄへ光（光Ｌ１１，Ｌ１２）が出射されないように構成されていてもよい。また、２つの光源からの出射光（光Ｌ１１，光Ｌ１２）の角度や位置を調整し、反射光の検出部３への入光を防いでもよい。
【００８５】
本技術の第２実施形態に係る光学検出システムＡ２では、第１の光源２１１と第２の光源２１２の各々が複数のユニット２１ａ，２１ｂに配設されている。このため、第１の光源２１１と第２の光源２１２とを独立して移動させ、第１の光源２１１からの光Ｌ１１と第２の光源２１２からの光Ｌ１２とを、同時に異なる収容領域Ｗ１，Ｗ２，Ｗ３に対して照射することもできる。従って、光学検出システムＡ２による光強度分布データの取得に要する時間を短縮することができる。また、光学検出システムＡ２では、光源（第１の光源２１１，第２の光源２１２）の種類などを変更したり追加したりする場合に、必要な光源のみを変更又は追加できるため、変更や追加に要する費用が安価となる。これは、例えば、光源（第１の光源２１１，第２の光源２１２）のメンテナンス等を行う場合にも同様である。光学検出システムＡ２の他の効果については、第１実施形態に係る光学検出システムＡ１と同様である。
【００８６】
なお、本技術は、以下のような構成もとることができる。
（１）第１の光源から検出領域に向けて出射された光に基づいて得られる第１の光強度分布データと第２の光源から前記検出領域に向けて出射された光に基づいて得られる第２の光強度分布データの各々について、検出対象が収容される収容領域に対応する解析対象範囲を特定するデータ判定部と、該データ判定部の動作モードを選択するモード選択部と、を有し、前記モード選択部は、前記データ判定部が、前記第１の光強度分布データ及び前記第２の光強度分布データの各々から、前記解析対象範囲を特定する第１のモードと、
前記データ判定部が、前記第１の光強度分布データの前記解析対象範囲に関する情報に基づき、前記第２の光強度分布データから前記解析対象範囲を特定する第２のモードの、何れか一方を選択するデータ処理装置。
（２）前記第１の光強度分布データ及び前記第２の光強度分布データは、前記収容領域との相対位置が変化する前記第１の光源及び第２の光源から出射された光によって得られる上記（１）に記載のデータ処理装置。
（３）前記解析対象範囲の特定に関する識別情報が入力される入力部を有し、該入力部に前記識別情報が入力された場合には、前記モード選択部は前記第２のモードを選択する上記（１）又は（２）に記載のデータ処理装置。
（４）前記入力部は、ＲＦタグ又はバーコードの読み取り機である上記（３）に記載のデータ処理装置。
（５）前記モード選択部は、前記第１の光強度分布データ及び前記第２の光強度分布データから得られる各々の値が所定値を超えるか否かを判定し、前記各々の値の何れもが前記所定値を超えていると判定した場合、前記第１のモードを選択する上記（１）〜（４）のいずれかに記載のデータ処理装置。
（６）前記モード選択部は、前記第１の光強度分布データから得られる前記値が前記所定値を超え、前記第２の光強度分布データから得られる前記値が前記所定値を超えていないと判定した場合、前記第２のモードを選択する上記（５）に記載のデータ処理装置。
（７）前記所定値は、光強度に対する値である上記（５）又は（６）に記載のデータ処理装置。
（８）前記所定値は、時間又は距離に対する値である上記（５）又は（６）に記載のデータ処理装置。
（９）前記第１の光強度分布データ及び第２の光強度分布データは、前記検出対象が前記収容領域に収容されていない状態で取得されたデータである上記（１）に記載のデータ処理装置。
（１０）前記モード選択部は、前記第１の光強度分布データ及び前記第２の光強度分布データから得られる各々の値が所定値に満たないか否かを判定し、前記各々の値の何れもが前記所定値に満たないと判定した場合、前記第１のモードを選択する上記（９）に記載のデータ処理装置。
（１１）前記モード選択部は、前記第１の光強度分布データから得られる前記値が前記所定値に満たず、前記第２の光強度分布データから得られる前記値が前記所定値以上であると判定した場合、前記第２のモードを選択する上記（１０）に記載のデータ処理装置。
（１２）前記データ判定部は、前記第２のモードにおいて、前記第１の光強度分布データにおける前記解析対象範囲の位置に対する、前記第２の光強度分布データにおける前記解析対象範囲の位置に関する補正情報に基づき、前記第２の光強度分布データの前記解析対象範囲を特定する上記（２）に記載のデータ処理装置。
（１３）前記補正情報は、前記第１の光源及び前記第２の光源の間で予め定められた固定値である上記（１２）に記載のデータ処理装置。
（１４）前記固定値は、前記第１の光源と第２の光源の間の距離、及び前記相対位置が変化する速度に基づく上記（１３）に記載のデータ処理装置。
（１５）前記固定値は、前記第１の光源及び前記第２の光源の各々が所定の地点を通過する時刻の差に基づく上記（１３）に記載のデータ処理装置。
（１６）検出領域に向けて光を出射する第１の光源及び第２の光源と、前記第１の光源から前記検出領域に向けて出射された光に基づいて得られる第１の光強度分布データと前記第２の光源から前記検出領域に向けて出射された光に基づいて得られる第２の光強度分布データの各々について、検出対象が収容される収容領域に対応する解析対象範囲を特定するデータ判定部と、該データ判定部の動作モードを選択するモード選択部と、を有するデータ処理装置と、を備え、該モード選択部は、前記データ判定部が、前記第１の光強度分布データ及び前記第２の光強度分布データの各々から、前記解析対象範囲を特定する第１のモードと、前記データ判定部が、前記第１の光強度分布データの前記解析対象範囲に関する情報に基づき、前記第２の光強度分布データから前記解析対象範囲を特定する第２のモードの、何れか一方を選択する光学検出システム。
（１７）前記第１の光源及び前記第２の光源は、一のユニットに備えられ、一体で移動可能に構成されている上記（１６）に記載の光学検出システム。
（１８）前記第１の光源及び前記第２の光源の各々は、複数のユニットに配設され、該ユニットは、互いに独立して移動可能に構成されている上記（１６）に記載の光学検出システム。
（１９）データ判定部が、第１の光源から検出領域に向けて出射された光に基づいて得られる第１の光強度分布データと第２の光源から前記検出領域に向けて出射された光に基づいて得られる第２の光強度分布データの各々について、検出対象が収容される収容領域に対応する解析対象範囲を特定することを含み、モード選択部は、前記データ判定部が、前記第１の光強度分布データ及び第２の光強度分布データの各々から、前記解析対象範囲を特定する第１のモードと、前記データ判定部が、前記第１の光強度分布データの前記解析対象範囲に関する情報に基づき、前記第２の光強度分布データから前記解析対象範囲を特定する第２のモードの、何れか一方を選択するデータ処理方法。
（２０）データ判定部が、第１の光源から検出領域に向けて出射された光に基づいて得られる第１の光強度分布データと第２の光源から前記検出領域に向けて出射された光に基づいて得られる第２の光強度分布データの各々について、検出対象が収容される収容領域に対応する解析対象範囲を特定する機能を含み、モード選択部は、前記データ判定部が、前記第１の光強度分布データ及び第２の光強度分布データの各々から、前記解析対象範囲を特定する第１のモードと、前記データ判定部が、前記第１の光強度分布データの前記解析対象範囲に関する情報に基づき、前記第２の光強度分布データから前記解析対象範囲を特定する第２のモードの、何れか一方を選択する機能をコンピュータに実現させるためのデータ処理プログラム。
【符号の説明】
【００８７】
Ａ１，Ａ２，Ａ１１：光学検出システム、Ｂ：バーコード、Ｄ：検出領域、Ｍ：マイクロチップ、Ｒ１１，Ｒ１２，Ｒ１３，Ｒ２１，Ｒ２２，Ｒ２３：解析対象範囲、Ｗ１，Ｗ２，Ｗ３：収容領域、１：データ処理装置、１１：データ判定部、１２：モード選択部、１３：入力部、１４：ＣＰＵ、１５：メモリ、１６：ハードディスク、２：光源、２１，２１ａ，２１ｂ：ユニット、２１１：第１の光源、２１２：第２の光源、３：検出部、４：ネットワーク、５：サーバ
【図１】
2014156379.tif 000003
【図２】
2014156379.tif 000004
【図３】
2014156379.tif 000005
【図４】
2014156379.tif 000006
【図５】
2014156379.tif 000007
【図６】
2014156379.tif 000008
【図７】
2014156379.tif 000009
【図８】
2014156379.tif 000010
【図９】
2014156379.tif 000011
【図１０】
2014156379.tif 000012
【図１１】
2014156379.tif 000013
【図１２】
2014156379.tif 000014
【図１３】
2014156379.tif 000015
【図１４】
2014156379.tif 000016
【図１５】
2014156379.tif 000017
【国際調査報告】
2014156379.tif 000018
2014156379.tif 000019
2014156379.tif 000020
2014156379.tif 000021